【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
予め設定された遊技進行条件にしたがって遊技が進行制御される非特定遊技状態、および、前記非特定遊技状態よりも遊技者に有利な遊技進行条件にしたがって遊技が進行制御される特定遊技状態にて遊技が進行する遊技機であって、
遊技球が流下する遊技領域が設けられた遊技盤と、
前記遊技領域に設けられ遊技球が進入可能な始動領域と、
前記始動領域に遊技球が進入すると、前記遊技領域に設けられた大入賞口が開放される特別遊技の実行可否を少なくとも決定するための１または複数の乱数値を取得して保留可能な乱数情報として記憶部に記憶する乱数取得手段と、
予め設定された始動条件の成立により、前記記憶部に記憶された乱数情報を読み出して前記特別遊技の実行可否を抽選により決定する抽選手段と、
前記抽選手段により前記特別遊技の実行を可能とする決定が導出された場合に、前記特別遊技を実行する特別遊技実行手段と、
前記特別遊技実行手段によって前記特別遊技が実行された場合に、当該特別遊技の終了後の遊技状態を設定する遊技状態設定手段と、
前記特別遊技の実行中に前記記憶部に記憶されている乱数情報が、当該特別遊技の終了後に前記抽選手段によって、特別遊技の実行を可能とする結果が導出される特定保留であるか否かを判定する保留先読み手段と、
前記特別遊技の実行中に少なくとも前記記憶部に前記特定保留が記憶されている場合に、予め設定された先読み演出を実行する演出実行手段と、を備え、
前記演出実行手段は、
前記特別遊技中に前記先読み演出を実行する際、前記特別遊技の実行を可能とする決定が導出されたときの遊技状態に応じて、該先読み演出の開始タイミングを異ならせることを特徴とする遊技機。
【請求項２】
前記演出実行手段は、
前記特別遊技中に前記先読み演出を実行する際、前記非特定遊技状態に設定されているときに前記特別遊技の実行を可能とする決定が導出された場合における前記先読み演出の開始タイミングを、前記特定遊技状態に設定されているときに前記特別遊技の実行を可能とする決定が導出された場合における前記先読み演出の開始タイミングよりも遅らせることを特徴とする請求項１に記載の遊技機。
【請求項３】
前記特別遊技実行手段は、
前記大入賞口が開放されてから当該大入賞口に所定数の遊技球が入球するか、もしくは、所定時間が経過すると当該大入賞口が閉鎖されるラウンド遊技が複数回実行される特別遊技を実行制御し、
前記演出実行手段は、
前記特定遊技状態に設定されているときに前記特別遊技の実行を可能とする決定が導出された場合には、全てのラウンド遊技が終了するまでの間に前記先読み演出を実行し、前記非特定遊技状態に設定されているときに前記特別遊技の実行を可能とする決定が導出された場合には、全てのラウンド遊技が終了してから前記抽選手段による前記特別遊技の実行可否の決定が開始されるまでの間のエンディング処理中に前記先読み演出を実行することを特徴とする請求項１または２に記載の遊技機。
【請求項４】
前記先読み演出は、開始タイミングに応じて態様を異にすることを特徴とする請求項１〜３のいずれか１項に記載の遊技機。
【請求項５】
前記非特定遊技状態に設定されているときに前記特別遊技の実行を可能とする決定が導出されるとともに、当該特別遊技の終了後の遊技状態が前記特定遊技状態に設定された場合であって、当該特定遊技状態に設定されてから前記抽選手段による抽選の回数が第１の回数に到達すると、遊技状態を前記非特定遊技状態に変更し、前記特定遊技状態に設定されているときに前記特別遊技の実行を可能とする決定が導出されるとともに、当該特別遊技の終了後の遊技状態が前記特定遊技状態に設定された場合であって、当該特定遊技状態に設定されてから前記抽選手段による抽選の回数が第１の回数よりも多い第２の回数に到達すると、遊技状態を前記非特定遊技状態に変更する遊技状態変更手段をさらに備えたことを特徴とする請求項１〜４のいずれか１項に記載の遊技機。
【手続補正２】
【補正対象書類名】明細書
【補正対象項目名】００１０
【補正方法】変更
【補正の内容】
【００１０】
上記課題を解決するために、本発明の遊技機は、予め設定された遊技進行条件にしたがって遊技が進行制御される非特定遊技状態、および、前記非特定遊技状態よりも遊技者に有利な遊技進行条件にしたがって遊技が進行制御される特定遊技状態にて遊技が進行する遊技機であって、遊技球が流下する遊技領域が設けられた遊技盤と、前記遊技領域に設けられ遊技球が進入可能な始動領域と、前記始動領域に遊技球が進入すると、前記遊技領域に設けられた大入賞口が開放される特別遊技の実行可否を少なくとも決定するための１または複数の乱数値を取得して保留可能な乱数情報として記憶部に記憶する乱数取得手段と、予め設定された始動条件の成立により、前記記憶部に記憶された乱数情報を読み出して前記特別遊技の実行可否を抽選により決定する抽選手段と、前記抽選手段により前記特別遊技の実行を可能とする決定が導出された場合に、前記特別遊技を実行する特別遊技実行手段と、前記特別遊技実行手段によって前記特別遊技が実行された場合に、当該特別遊技の終了後の遊技状態を設定する遊技状態設定手段と、前記特別遊技の実行中に前記記憶部に記憶されている乱数情報が、当該特別遊技の終了後に前記抽選手段によって、特別遊技の実行を可能とする結果が導出される特定保留であるか否かを判定する保留先読み手段と、前記特別遊技の実行中に少なくとも前記記憶部に前記特定保留が記憶されている場合に、予め設定された先読み演出を実行する演出実行手段と、を備え、前記演出実行手段は、前記特別遊技中に前記先読み演出を実行する際、前記特別遊技の実行を可能とする決定が導出されたときの遊技状態に応じて、該先読み演出の開始タイミングを異ならせることを特徴とする。
【手続補正３】
【補正対象書類名】明細書
【補正対象項目名】００１１
【補正方法】変更
【補正の内容】
【００１１】
また、前記演出実行手段は、前記特別遊技中に前記先読み演出を実行する際、前記非特定遊技状態に設定されているときに前記特別遊技の実行を可能とする決定が導出された場合における前記先読み演出の開始タイミングを、前記特定遊技状態に設定されているときに前記特別遊技の実行を可能とする決定が導出された場合における前記先読み演出の開始タイミングよりも遅らせるとよい。
【手続補正４】
【補正対象書類名】明細書
【補正対象項目名】００１３
【補正方法】変更
【補正の内容】
【００１３】
また、前記先読み演出は、開始タイミングに応じて態様を異にするとよい。
【手続補正５】
【補正対象書類名】明細書
【補正対象項目名】００１４
【補正方法】変更
【補正の内容】
【００１４】
また、前記非特定遊技状態に設定されているときに前記特別遊技の実行を可能とする決定が導出されるとともに、当該特別遊技の終了後の遊技状態が前記特定遊技状態に設定された場合であって、当該特定遊技状態に設定されてから前記抽選手段による抽選の回数が第１の回数に到達すると、遊技状態を前記非特定遊技状態に変更し、前記特定遊技状態に設定されているときに前記特別遊技の実行を可能とする決定が導出されるとともに、当該特別遊技の終了後の遊技状態が前記特定遊技状態に設定された場合であって、当該特定遊技状態に設定されてから前記抽選手段による抽選の回数が第１の回数よりも多い第２の回数に到達すると、遊技状態を前記非特定遊技状態に変更する遊技状態変更手段をさらに備えるとよい。
【手続補正６】
【補正対象書類名】明細書
【補正対象項目名】００１５
【補正方法】削除
【補正の内容】